(57)【要約】【課題】多様な床面の材質に適用することができるとともに、障害者が安全且つ容易に歩行することができる歩行補助具を提供することを目的とする。【解決手段】歩行補助器１は、少なくとも４本の脚部２と、該脚部２により下肢が不自由な人の体重と姿勢とを支持する支持枠体３とを備え、歩行面に沿って移動する歩行補助器１において、前記４本の脚部２のうち、前側の１対の脚部２ａ下端には車輪１０が設けられるとともに、後ろ側の１対の脚部２ｂ下端には少なくとも進行方向の先端部が上方に湾曲して形成された扁平な取付板１２と、該取付板１２の少なくとも下面に着脱自在に取り付けられた摺動カバー１１と、が設けられる。【選択図】図１
0003140199.tif 000002
【実用新案登録請求の範囲】
【請求項１】
少なくとも４本の脚部と、該脚部により下肢が不自由な人の体重及び姿勢を支持する支持枠体とを備え、歩行面に沿って移動する歩行補助器において、
前記４本の脚部のうち、前側の１対の脚部下端には車輪が設けられるとともに、
後ろ側の１対の脚部下端には少なくとも進行方向の先端部が上方に湾曲して形成された扁平な取付板と、該取付板の少なくとも下面に着脱自在に取り付けられた摺動カバーと、が設けられることを特徴とする歩行補助器。
【請求項２】
前記摺動カバーは、進行方向前側に前記取付板の先端部を挿入可能な袋部が形成されるとともに、進行方向後側に一端が固定される係着部材が設けられ、
前記取付板の進行方向後側上面には、前記係着部材の他端が係着される被係着部材が設けられたことを特徴とする請求項１に記載の歩行補助器。
【請求項３】
前記摺動カバーは、その進行方向前側及び後側に一端が固定される係着部材がそれぞれ設けられ、
前記取付板の進行方向前側及び後側の上面には、各係着部材の他端がそれぞれ係着される被係着部材が設けられたことを特徴とする請求項１に記載の歩行補助器。
【請求項４】
前記取付板は、進行方向の後端部も上方に湾曲して形成されたことを特徴とする請求項１から請求項３のいずれかに記載の歩行補助器。
【請求項５】
前記摺動カバーは、その接地面が天然繊維又は化学繊維により構成された布により形成されることを特徴とする請求項１から請求項４のいずれかに記載の歩行補助器。
【請求項６】
前記布は、デニム生地、帆布、フェルト、又はパイルカーペットであることを特徴とする請求項５に記載の歩行補助器。
【請求項７】
前記取付板は、超高分子量ポリエチレン樹脂又はポリアセタール樹脂により形成されたことを特徴とする請求項１から請求項６のいずれかに記載の歩行補助器。
【考案の詳細な説明】
【技術分野】
【０００１】
本考案は、下肢が不自由な人の歩行を補助する歩行補助器に関する。
【背景技術】
【０００２】
下肢が不自由な身体障害者や下肢の筋力が低下した高齢者あるいは負傷者（以下、単に障害者という）は、歩行機能を回復するためのリハビリテーションの一環として歩行訓練を行う。この歩行訓練では、障害者の歩行を補助するために歩行補助器が用いられる。従来より、このような歩行補助器としては、複数の脚部を備えてなる支持枠体で障害者の体重を支持するものが一般的である。例えば、各脚部の下端にゴムキャップが取り付けられて障害者が左右の脚部を交互に繰り出して前方に進める交互型歩行補助器や、各脚部の下端にキャスター又は車輪が取り付けられて障害者が支持枠体に体重を掛けることで前方に推し進めるキャスター付き歩行補助器（例えば特許文献１）が、障害の程度に応じて使い分けられている。
【０００３】
しかし、上述の交互型歩行補助器においては、障害者が自らの歩行にリズムを合わせて支持枠体の左右片側を持ち上げて前方に繰り出す操作が必要であり、操作が難しく習熟に時間が掛かる問題がある。特に左右片側を持ち上げる動作は障害の程度が重い場合には困難である。また、キャスター付き歩行補助器においては、その移動速度を障害者の歩行速度に一致させるよう支持枠体を押圧する力を加減しなければならないので操作が難しく、歩行補助器の移動速度が障害者の歩行速度よりも速くなると障害者が転倒する虞もある。
【０００４】
そこで、進行方向前側の脚部にはキャスター又は車輪を設け、進行方向後ろ側の脚部の下端にはゴムキャップを設けた歩行補助器が提案されている（例えば特許文献２）。歩行する際には前輪を接地させた状態で後ろ側の脚部を歩行面からやや持ち上げることで歩行補助器を進行方向に進ませることができ、移動速度が速すぎる場合には後ろ側の脚部を地面に接地させることでブレーキを掛ける事ができる。
【０００５】
【特許文献１】特開２００５−１２４７４０号公報
【特許文献２】特開２００１−２９９８４３号公報
【考案の開示】
【考案が解決しようとする課題】
【０００６】
しかし、後ろ側の脚部を歩行面からやや持ち上げることは下肢に障害がある人にとっては困難な場合も多い。そこで、ゴムキャップを歩行面に当接させたまま摺動させることが考えられるが、ゴムキャップは摩擦係数が高く摺動させることが困難な場合も多い。また、歩行面は例えば、ビニルカーペット、フローリング、コルク材等多様な材質のものがあるため、これらの材質によっては床が傷付く虞や、ゴムキャップが磨耗する虞もある。
【０００７】
そこで、本考案は、多様な床面の材質に適用することができるとともに、障害者が安全且つ容易に歩行することができる歩行補助器を提供することを目的とする。
【課題を解決するための手段】
【０００８】
上記目的を達成するための請求項１記載の歩行補助器は、少なくとも４本の脚部と、該脚部により下肢が不自由な人の体重及び姿勢を支持する支持枠体とを備え、歩行面に沿って移動する歩行補助器において、前記４本の脚部のうち、前側の１対の脚部下端には車輪が設けられるとともに、後ろ側の１対の脚部下端には少なくとも進行方向の先端部が上方に湾曲して形成された扁平な取付板と、該取付板の少なくとも下面に着脱自在に取り付けられた摺動カバーと、が設けられることを特徴としている。
【０００９】
請求項２記載の歩行補助器は、前記摺動カバーは、進行方向前側に前記取付板の先端部を挿入可能な袋部が形成されるとともに、進行方向後側に一端が固定される係着部材が設けられ、前記取付板の進行方向後側上面には、前記係着部材の他端が係着される被係着部材が設けられたことを特徴としている。
【００１０】
請求項３記載の歩行補助器は、前記摺動カバーは、その進行方向前側及び後側に一端が固定される係着部材がそれぞれ設けられ、前記取付板の進行方向前側及び後側の上面には、各係着部材の他端がそれぞれ係着される被係着部材が設けられたことを特徴としている。
【００１１】
請求項４記載の歩行補助器は、前記取付板は、進行方向の後端部も上方に湾曲して形成されたことを特徴としている。
【００１２】
請求項５記載の歩行補助器は、前記摺動カバーは、その接地面が天然繊維又は化学繊維により構成された布により形成されることを特徴としている。
【００１３】
請求項６記載の歩行補助器は、前記布は、デニム生地、帆布、フェルト、又はパイルカーペットであることを特徴としている。
【００１４】
請求項７記載の歩行補助器は、前記取付板は、超高分子量ポリエチレン樹脂又はポリアセタール樹脂により形成されたことを特徴としている。
【考案の効果】
【００１５】
本考案の請求項１に係る歩行補助器によれば、４本の脚部のうち前側の１対の脚部の下端には車輪が設けられており、後ろ側の１対の脚部下端には、少なくとも進行方向の先端部が上方に湾曲して形成された扁平な取付板と、この取付板の少なくとも下面に着脱自在に取り付けられた摺動カバーと、が設けられているので、後ろ側の脚部下端を歩行面に当接させつつ、歩行面に沿って摺動させることができる。このとき、取付板の先端部は上方に湾曲して形成されているので、進行方向への摺動動作がよりスムーズなものとなる。
【００１６】
また、摺動カバーは着脱自在に取り付けられているので、この摺動カバーを歩行面の材質に合わせて取り替えることで、様々な材質の歩行面で使用する場合に適度な摩擦力を発生させることができるとともに、歩行面の床材を傷つけず、また、歩行面の材質に応じて耐久性、耐摩耗性に優れた摺動カバーの材質を選択することができる。
【００１７】
請求項２に係る考案によれば、前記摺動カバーは、進行方向前側に前記取付板の先端部を挿入可能な袋部が形成されるとともに、進行方向後側に一端が固定される係着部材が設けられ、前記取付板の進行方向後側上面には、前記係着部材に係着される被係着部材が設けられているので、摺動カバーを取付板に取り付けるときに、まず袋部内に取付板の先端を挿入し、その後、係着部材の他端を取付板後側上面の被係着部材に係着させることで、簡単に摺動カバーを取付板に取り付けることができる。また、摺動カバーを取付板から取り外す時には、上述の逆の手順を行うことで簡単に取付板から取り外すことができる。このように、摺動カバーの取付及び取外しを極めて容易なものとすることができる。
【００１８】
請求項３に係る考案によれば、摺動カバーは、その進行方向の前後に一端が固定される係着部材がそれぞれ設けられ、取付板の進行方向前側及び後側の上面には、各係着部材の他端がそれぞれ係着される被係着部材が設けられているので、取付板の下面に摺動カバーを当接させて、摺動カバーの前後それぞれの係着部材を取付板上面の前後それぞれの被係着部材に係着させることで極めて容易に摺動カバーを取付板に取り付けることができ、前後それぞれの係着部材を被係着部材から外すことで、極めて容易に摺動カバーを取付板に取り付けることができる。
【００１９】
請求項４に係る考案によれば、前記取付板は、進行方向の後端部も上方に湾曲して形成されているので、歩行補助器を進行方向の反対側に後退させる場合にも、後退方向への摺動動作をよりスムーズなものとすることができる。
【００２０】
請求項５に係る考案によれば、摺動カバーは、その接地面が、天然繊維又は化学繊維により構成された布により形成されるので、歩行面が歩行補助器の摺動動作により傷つくことをより効果的に防ぐことができる。
【００２１】
請求項６に係る考案によれば、前記布は、デニム生地、帆布、フェルト、又はパイルカーペットであるので、汎用性が高く安価なものとすることができるとともに、歩行補助器の後ろ側脚部を歩行面に載置するときの衝撃を和らげることができる。したがって、歩行面が傷つくことを更に防ぐことができるとともに、歩行補助具を操作している障害者の腕に対する衝撃も緩和することができる。
【００２２】
請求項７に係る考案によれば、前記取付板は、超高分子量ポリエチレン樹脂又はポリアセタール樹脂により形成されているので、耐久性、耐摩耗性に優れている。
【考案を実施するための最良の形態】
【００２３】
以下、本考案に係る歩行補助器１の実施形態について説明する。歩行補助器１は、図１に示すように、４本の脚部２と、これら４本の脚部２によって下肢が不自由な人の体重及び姿勢を支持する支持枠体３とを備える。
【００２４】
この支持枠体３は、アルミパイプを曲折加工・溶接加工・ボルト固定等してなるものであり、互いにほぼ平行して配置され下方に開いた逆Ｕ字状の左右一対の側枠４と、この一対の側枠４を互いに連結する連結枠５と、側枠４を構造的に補強する複数の側部補強バー６と、側枠４と連結枠５との連結構造を補強する前部補強バー７と、により構成されている。
【００２５】
側枠４の高さ方向の最上位置には、ゴム製のグリップ材が外嵌されて、障害者が握持するための握持部８が設けられている。また、連結枠５は、その強度を高めるべく若干湾曲して形成されており、その両端が各側枠４の移動方向前側に固定されている。そして、側部補強バー６は、各側枠４にそれぞれ２本づつ取り付けられており、その両端が側枠４の前側と後側とに溶接等により固定されている。前部補強バー７は、側枠４の連結枠５固定位置よりもやや下方に固定されるとともに、中間部が連結枠５に当接して固定されている。このように、側部補強バー６及び前部補強バー７により、支持枠体３は水平方向に作用する外力に対して変形しないように補強されている。
【００２６】
側枠４は、図２に示すように、連結枠５及び前部補強バー７に対して回転可能に構成されている。そして、連結枠５に対してスライド自在且つ側部補強バー６に対して回動自在に取り付けられた開閉機構４１により、側枠４は連結枠５に対してほぼ直角に開いた状態と、支持枠体３の内側方向に折り畳んだ状態とに開閉することができる。したがって、歩行補助器１を使用しない場合には、各側枠４を支持枠体３の内側方向に折り畳んで収納することで、収納スペースを小さくすることができる。
【００２７】
なお、支持枠体３は、歩行面に安定して載置できるように、４本以上の脚部２が取り付けられる構成であって、且つ、障害者の体重を支持可能な強度を有するものであれば、その材質・形状・大きさは、本実施形態に限定されるものではなく、適宜変更することができる。
【００２８】
支持枠体３を支持する４本の脚部２は、それぞれの上部に各枠体４の下端に外嵌され固定される円筒部材９が設けられている。また、脚部２のうち、各側枠４の進行方向前側の端部に取り付けられる前脚部２ａには、その下端にキャスター１０が設けられており、各側枠４の進行方向後側の端部に取り付けられる後脚部２ｂには、その下端に摺動カバー１１が取付られた取付板１２が設けられている。なお、後脚部２ｂには、取付板１２から取り外した摺動カバー１１を保持するための保持部材９１も取り付けられている。
【００２９】
円筒部材９は、図３に示すようにそれぞれ内部に貫通する高さ調節孔１３が高さ方向に沿って複数列設されている。側枠４の下端近傍にはそれぞれ高さ調節孔１３に係着可能な高さ調節突起１４が設けられており、この高さ調節突起１４は図示しないバネで付勢されることによって、側枠４の内部に没入可能且つ突出可能に設けられている。これにより、この高さ調節突起１４を押圧して側枠４に没入させた状態で、円筒部材９を側枠４に対して上下にスライドさせて、所望の高さ調節孔１３から高さ調節突起１４を突出させることにより、歩行補助器１を所望の高さに調節することができる。また、キャスター１０は、歩行面に沿って転がるとともに、その進行方向を自在に変えることができる小さな車輪である。
【００３０】
摺動カバー１１は、図４及び図５に示すように進行方向前側には取付板１２の先端を挿入可能な袋部１５が形成され、進行方向後端には雌面ファスナー１６が設けられている。この摺動カバー１１の接地面１７は、例えば合成繊維からなるパイルカーペットで形成されている。なお、摺動カバー１１の接地面１７はこれに限定されるものではなく、例えば木綿などの植物繊維で編まれたデニム生地及び帆布であっても良く、また例えば動物の体毛を圧縮して製造されたフェルトであっても良い。摺動カバー１１の接地面１７がこれらの布で形成されることで、摺動カバー１１が歩行面に当接するように歩行補助器１を設置して、歩行面に沿って摺動させるときに、歩行面が傷つきにくく、また、適度な摩擦力を発生させることができる。特に摺動カバー１１は着脱自在であるので、歩行面の床材の材質や歩行補助器１を使用する障害者の力に応じて、適切な材料で形成された摺動カバー１１を選択することで、歩行面を傷つけることを適切に抑制することができ、また、適度な摩擦力を発生させることができる。
【００３１】
取付板１２は、図６に示すように進行方向前側がやや上方に湾曲して形成された扁平な板状である。取付板の上面には、円筒部材９の下端が図示しないネジにより固定されており、この円筒部材９の固定箇所から進行方向後方には、雄面ファスナー１８が固着されている。取付板１２は、例えば超高分子量ポリエチレン樹脂又はポリアセタール樹脂により形成されており、このような樹脂は耐久性・耐摩耗性に優れており自己潤滑性を有しているので、歩行面の材質によっては、取付板１２から摺動カバー１１を取り外した状態で、取付板１２を歩行面に当接させて、歩行面に沿って摺動させることもできる。
【００３２】
次に、取付板１２に摺動カバー１１を取り付ける方法について、図４、図６、及び図７を参照しつつ説明する。摺動カバー１１を取り付けるときには、まず、図５に示すように、取付板１２の先端を摺動カバー１１の袋部１５に挿入する。そして、図６に示すように、摺動カバー１１の後端に取り付けられた雌面ファスナー１６を取付板上面後方に取り付けられた雄面ファスナー１８に重ね合わせる。このようにして、図３に示すように、摺動カバー１１を取付板１２に取り付けることができる。なお、取付板１２に取り付けられた摺動カバー１１を取り外す場合は、上述の取付作業の逆の手順で取り外すことができる。このように摺動カバー１１の着脱作業は極めて簡単な手順で行うことができる。
【００３３】
歩行補助器１を使用するときには、図８に示すように、側枠４の上部に設けられた左右の握持部８を、障害者がそれぞれの手で把持し、下肢の負担を和らげるように障害者の体重を歩行補助器１に預ける。そして、重心をやや進行方向に移動させると、歩行補助器１に伝わった障害者の体重の大部分は前脚部２ａ側に掛かる。前脚部２ａの下端にはキャスター１０が設けられているので、歩行補助器１は大きな力を加えることなく前進する。なお、このとき後脚部２ｂの下端の取付板１２に取り付けられた摺動カバー１１は、歩行面に沿って摺動されるが、この摺動カバー１１の接地面１７はデニム生地、帆布、フェルト、又はパイルカーペットなどの布で構成されているので、歩行面を傷つけることなく歩行補助器１を前進させることができる。
【００３４】
なお、図示しないが、本実施形態の歩行補助器１は、摺動カバー１１を取付板１２から外した状態で使用することもできる。取付板１２は、耐久性・耐摩耗性・自己潤滑性を有する超高分子量ポリエチレン樹脂又はポリアセタール樹脂により形成されているので、取付板１２から摺動カバー１１を取り外した状態で取付板１２を歩行面に当接させて、歩行面に沿って摺動させることもできる。
【００３５】
次に実施形態の種々の変形例について図９から図１３を参照しつつ説明する。上述の実施形態において、取付板１２は進行方向の先端側のみが上方へ湾曲して形成されていたが、図９に示すように例えば、取付板１２の進行方向の先端のみならず進行方向の後端についても上方に湾曲して形成されるものであっても良い。このように形成された取付板１２に摺動カバー１１を取り付ける場合も上述の実施形態の場合と同様に、まず、摺動カバー１１の袋部１５に取付板１２の先端側を挿入して、摺動カバー１１の後側に一端が固定された雌面ファスナー１６を取付板１２の湾曲する上面に固定された雄面ファスナー１８に係着させることで、摺動カバー１１を取付板１２に取り付けることができる。
【００３６】
このように、取付板１２の進行方向の先端のみならず進行方向の後端についても上方に湾曲して形成されることで、図１０に示すように、歩行補助器１を進行方向の反対側に後退させるような場合に、歩行面に摺動カバー１１が引っ掛からずにスムーズに摺動させることができる。したがって、歩行補助器１を後退させる場合にもその操作をより容易なものとすることができる。
【００３７】
また、上述の実施形態においては、摺動カバー１１の進行方向前側には、取付板１２の先端を挿入可能な袋部１５が形成され、進行方向後端には雌面ファスナー１６が設けられているが、袋部１５の構成に替えて、図１１に示すように、摺動カバー１１の進行方向前側にも雌面ファスナー１６が設けられる構成であってもよい。このような場合には、取付板１２には、進行方向の後側上面のみならず、進行方向前側上面にも雄面ファスナー１８が設けられる。
【００３８】
このような構成において、取付板１２に摺動カバー１１を取り付ける場合には、図１２に示すように、まず、取付板１２の下面に摺動カバー１１を当接させる。そして、図１３に示すように、取付板１２の前側及び後側のそれぞれの上面に取り付けられた雄面ファスナー１８に、摺動カバー１１の前側及び後側に一端が取り付けられた雌面ファスナー１６の他端をそれぞれ係着させることで、取付板１２に摺動カバー１１を固定することができる。また、摺動カバー１１を取付板１２から取り外す場合には、雌面ファスナー１６を雄面ファスナー１８から取り外すだけで、簡単に取り外すことができる。以上のように、このような構成とすると、極めて簡単に取付板１２から摺動カバー１１を取り付けることができ、また、取り外すことができる。
【００３９】
なお、本発明の実施形態は、上述のものに限定されるものではなく、本発明の趣旨を逸脱しない範囲で適宜変更できることは云うまでもない。
【産業上の利用可能性】
【００４０】
本考案は、下肢の不自由な障害者等がその機能を回復するためのリハビリテーション、歩行不安の解消を目的に使用する歩行補助器として好適に用いることができる。
【図面の簡単な説明】
【００４１】
【図１】本実施形態の歩行補助器１を示す斜視図。
【図２】歩行補助器１を折り畳んだ状態を示す平面図。
【図３】歩行補助器１の高さを調節する状態を説明する側面図。
【図４】取付板１２及び摺動カバー１１の構成を説明する部分拡大図。
【図５】摺動カバー１１の構成を説明する平面図、底面図、及び側面図。
【図６】取付板１２に摺動カバー１１を取り付ける作業を説明する図。
【図７】取付板１２に摺動カバー１１を取り付ける作業を説明する図。
【図８】本実施形態の歩行補助器１の使用状態を説明する図。
【図９】本実施形態の変形例の取付板１２を示す図。
【図１０】本実施形態の変形例の歩行補助器１の使用状態を説明する図。
【図１１】本実施形態の別の変形例の摺動カバー１１を示す図。
【図１２】本実施形態の変形例の摺動カバー１１を取付板１２に取り付ける状態を示す図。
【図１３】本実施形態の変形例の摺動カバー１１を取付板１２に取り付けた状態を示す図。
【符号の説明】
【００４２】
１    歩行補助器
２    脚部
２ａ  前脚部
２ｂ  後脚部
３    支持枠体
１０  キャスター（車輪）
１１  摺動カバー
１２  取付板
１５  袋部
１６  雌面ファスナー（係着部材）
１７  接地面
１８  雄面ファスナー（被係着部材）
【図１】
0003140199.tif 000003
【図２】
0003140199.tif 000004
【図３】
0003140199.tif 000005
【図４】
0003140199.tif 000006
【図５】
0003140199.tif 000007
【図６】
0003140199.tif 000008
【図７】
0003140199.tif 000009
【図８】
0003140199.tif 000010
【図９】
0003140199.tif 000011
【図１０】
0003140199.tif 000012
【図１１】
0003140199.tif 000013
【図１２】
0003140199.tif 000014
【図１３】
0003140199.tif 000015